(57)【特許請求の範囲】
【請求項１】
少なくとも一つの受信支線で信号を受信し、各受信支線は少なくとも二つの受信ユニットを含み、前記少なくとも二つの受信ユニットは少なくとも一つのデータ受信ユニットと少なくとも一つのパイロット周波数受信ユニットを含み、前記信号は一つの伝送コードブックの一つのコードであることと、
前記受信信号によって、前記伝送コードブックの各コードの評定値を計算し、その最大評定値を取得することと、
前記最大評定値が閾値より大きい場合、復調出力は前記最大評定値に対応するコードであることと、
前記最大評定値が前記閾値より小さい場合、復調出力は断続的に発送されるDTXであることと、を含み、
前記伝送コードブックの各コードの評定値の計算は、
前記各受信支線のすべての受信ユニットの受信信号と前記コードに対して操作を行い、前記受信支線及び前記コードに対応する一つの暫定の評定値を得ることと、
すべての前記受信支線と前記コードに対応する暫定の評定値を加算して、前記コードの評定値とすることと、
を含むことを特徴とする一種の信号受信方法。
【請求項２】
前記各受信支線のすべての受信ユニットの受信信号及び前記コードに対して操作を行い、得られる前記受信支線と前記コードに対応する一つの暫定の評定値において、
前記コードがM個の元素を含み、前記Mが前記受信支線の受信ユニット個数であることと、
前記コードの第m（1≦m≦M）個の元素の共役を第m個の受信ユニットの受信信号と乗算して、前記第m個の受信ユニットに対応する復調値を得ることと、
前記受信支線すべての受信ユニットに対応する前記復調値を加算して、得られる和の値を前記支線と前記コードに対応する前記暫定の評定値とすることと、
を含むことを特徴とする請求項１に記載の一種の信号受信方法。
【請求項３】
前記各受信支線のすべての受信ユニットの受信信号及び前記コードに対して操作を行い、得られる前記受信支線及び前記コードに対応する一つの暫定の評定値において、
前記コードがM個の元素を含み、前記Mが前記受信支線の受信ユニットの個数であることと、
前記コードの第m（1≦m≦M）個の元素の共役を第m個の受信ユニットの受信信号と乗算して、前記第m個の受信ユニットに対応する復調値を得ることと、
前記受信支線すべての受信ユニットに対応する前記復調値を加算して、得られる和の値の平方を前記支線と前記コードに対応する前記暫定の評定値とすることと、
を含むことを特徴とする請求項１に記載の一種の信号受信方法。
【請求項４】
前記各受信支線が一つの直交信号チャネルに対応し、前記直交信号チャネルが周波数領域直交、時間領域直交、コード区分直交、スペース領域直交又はその組合せで得られることを特徴とする請求項１に記載の一種の信号受信方法。
【請求項５】
各受信ユニットが一つのOFDM記号又はSC-FDMA記号に対応することを特徴とする請求項1に記載の一種の信号受信方法。
【請求項６】
少なくとも一つの受信支線で信号受信に使用され、各受信支線が少なくとも二つの受信ユニットを持ち、前記少なくとも二つの受信ユニットの中で、少なくとも一つのデータ受信ユニット及び少なくとも一つのパイロット周波数受信ユニットが含まれ、前記信号が一つの伝送コードブックの一つのコードであることを特徴とする受取モジュールと、
前記受取モジュールにより受信された信号によって、前記伝送コードブックの各コードの評定値を計算し、その最大評定値を取得する計算モジュールと、
前記最大評定値が閾値より大きい場合、前記最大評定値に対応するコードに復調出力し、前記最大評定値が前記閾値より小さい場合、断続的に発送されるDTXに復調出力することに使用される復調モジュールと、を含み、
前記計算モジュールの構成部は、
前記各受信支線のすべての受信ユニットの受信信号と前記コードを操作し、前記受信支線及び前記コードに対応する一つの暫定の評定値を得る第一処理モジュールと、
すべての前記受信支線及び前記コードに対応する暫定の評定値を加算して、前記コードの評定値とする第二処理モジュールと、
を含むことを特徴とする一種の信号受信設備。
【請求項７】
前記第一処理モジュールは、
前記コードの第m（1≦m≦M）個の元素の共役を第m個の受信ユニットの受信信号と乗算して、前記第m個の受信ユニットに対応する復調値を得て、前記コードがM個の元素を含み、前記Mが前記受信支線の受信ユニット個数であることと、
前記受信支線のすべての受信ユニットに対応する前記復調値を加算して、得られる和の値を前記支線及び前記コードに対応する前記暫定の評定値とすることと、
に使用されることを特徴とする請求項６に記載の一種の信号受信設備。
【請求項８】
前記第一処理モジュールは、
前記コードの第m（1≦m≦M）個の元素の共役を第m個の受信ユニットの受信信号と乗算して、前記第m個の受信ユニットに対応する復調値を得て、前記コードがM個の元素を含み、前記Mが前記受信支線の受信ユニット個数であることと、
前記受信支線のすべての受信ユニットに対応する前記復調値を加算して、得られる和の平方を前記支線及び前記コードに対応する前記暫定の評定値とすることと、
に使用されることを特徴とする請求項６に記載の一種の信号受信設備。
【請求項９】
前記各受信支線が一つの直交信号チャネルに対応し、前記直交信号チャネルが周波数領域直交、時間領域直交、コード区分直交、スペース領域直交又はこれらを組合せて得られることを特徴とする請求項６に記載の一種の信号受信設備。
【請求項１０】
前記の各受信ユニットが一つのOFDM記号又はSC-FDMA記号に対応することを特徴とする請求項６に記載の一種の信号受信設備。
【発明の詳細な説明】
【技術分野】
【０００１】
本発明は、通信技術分野、特に一種の信号受信の方法と設備に係る。
【背景技術】
【０００２】
3GPP（3rd Generation Partnership Project、第3世代パートナーシップ・プロジェクト）LTE（Long Term Evolution、長期進化）Normal（正常）CP（Cyclic Prefix，サイクリックプレフィックス）において、一つのslot（タイム・スロット）は、七つのSC-FDMA（Single Carrier Frequency Division Multiple Access，シングルキャリア周波数分割多元接続性）symbol（記号）を含む。ACK/NAK（Acknowledge Character/ Negative Acknowledge、確認文字/否認文字）の伝送方式は図1に示す通りである。この中で、[S0, S1，…,S6]は、一つのslotの七つのSC-FDMA symbolを表す。dは、伝送する必要なACK/NAK symbolを表す。1個のACK/NAK bit（ビット）の場合、dはBPSK（Binary Phase Shift Keying、二相相移キー制御）の一つの星座点である。二つのACK/NAK bitである場合、dはQPSK（Quadrature Phase Shift Keying、四相相移キー制御）の一つの星座点である。SC-FDMA symbol[S0， S1， S5， S6]はACK/NAKデータd伝送に使用される。Wd =[Wd(0) Wd(1) Wd(2) Wd(3)]は、ACK/NAKデータ部分のOC（Orthogonal Cover、スペクトラム拡散コード）である。LTEにおいて、Wd は OCd0 = [1 1 1 1]又はOCd1 = [1 -1 1 -1]の値を取ってもいいし、又はOCd2 = [1 -1 -1 1]であってもよい。Rは、パイロット周波数信号で、それにr = 1である。SC-FDMA symbol [S2, S3, S4]は、パイロット周波数r伝送に使用される。Wr =[Wr(0) Wr(1) Wr(2)]はパイロット周波数部分のスペクトラム拡散コードである。
【０００３】
3GPP LTE extended（進化）CPにおいて、一つのslotは六つのSC-FDMA symbolを含む。ACK/NAKの伝送方式は図2に示す通りである。その中で、[S0, S1，…，S5]は、一つのslotの六つのSC-FDMA symbolを表す。dは伝送する必要なACK/NAK symbolを表す。一つのACK/NAK bitである場合、dはBPSKの一つの星座点である。二つのACK/NAK bitである場合、dはQPSKの一つの星座点である。SC-FDMA symbol[S0， S1， S4， S5]は、ACK/NAKデータd伝送に使用される。Wd =[Wd(0) Wd(1) Wd(2) Wd(3)]は、ACK/NAKデータ部分のスペクトラム拡散コードである。LTEにおいて、Wd は OCd0 = [1 1 1 1]又はOCd2 = [1 -1 -1 1]の値を取ることができる。rはパイロット周波数信号で、それにr = 1である。SC-FDMA symbol [S2, S3]はパイロット周波数r伝送に使用される。Wr =[Wr(0) Wr(1) Wr(2)]はパイロット周波数部分のスペクトラム拡散コードである。LTEにおいて、WrはOCr0 = [1 1]又はOCr2 = [1 -1]の値を取ることができる。一つのサブフレームは、二つのslotから構成され、ACK/NAKの伝送は一つのサブフレームの二つのslotで、繰り返し、図2に示す通りである。
【０００４】
3GPP LTEにおいて、一つのRB（Resource Block、資源ブロック）は12個のRE （Resource Element、資源ユニット）から構成され、各REの周波数領域が15kHzである。ACK/NAK伝送について、一つのSC-FDMA symbolの一つのRBで、一つの長さ12のsequence（序列）を伝送する。当該序列は異なるCS（Cyclic Shift，循環シフト）を通した後に生じる12個のsequenceは互いに直交する。従って、一つのRBの一つのACK/NAK channel（信号チャネル）は一つのCSと一つのOCにより確定される。
【０００５】
表1と表2は、それぞれACK/NAKデータ部分及びパイロット周波数部分について、normal CPの下で、一つのRBのACK/NAK channel nから（CS，OC）への写像を説明する。この中で、ΔPUCCHは同じOCの下で使用されるCSの間隔である。表1と表2の中で、ΔPUCCH= 2である。この中で、ACK/NAK channel順番nは、一つの高層シグナルから得られ、又はPDCCH（Physical Downlink Control Channel、下り制御信号チャネル）のCCE index（Control Channel Element index、制御信号チャネル元素順番）から得られる。
【０００６】
表１：ACK/NAK channel nから（CS，OC）へのmapping（写像）、データ部分、ΔPUCCH = 2、 normal CP
【表１】
0005548309.tif 000002
【０００７】
表2：ACK/NAK channel nから（CS，OC）へのmapping（写像）、パイロット周波数部分、ΔPUCCH = 2、normal CP
【表２】
0005548309.tif 000003
【０００８】
表3と表4は、それぞれACK/NAKデータ部分及びパイロット周波数部分について、extended CPの下で、一つのRBのACK/NAK channel nから（CS，OC）への写像を説明する。この中で、ΔPUCCHは同じOCの下で使用されるCS間隔である。表3と表4の中で、ΔPUCCH= 2である。この中で、ACK/NAK channel順番nは、一つの高層シグナルから得られ、又は下り制御信号チャネルの制御信号チャネル元素順番から得られる。
【０００９】
表3：ACK/NAK channel nから（CS，OC）へのmapping（写像）、データ部分、ΔPUCCH = 2、 extended CP
【表３】
0005548309.tif 000004
【００１０】
表4：ACK/NAK channel nから（CS，OC）へのmapping（写像）、パイロット周波数部分、ΔPUCCH = 2、extended CP
【表４】
0005548309.tif 000005
【発明の概要】
【発明が解決しようとする課題】
【００１１】
従来のACK/NAK伝送方案に対して、その復調算法は、良く使われる復調算法を使ってもよい。即ち、まずパイロット周波数記号を利用して信号チャネル見積もりを行ってから、得られる信号チャネルによって復調データ記号を見積もって、復調結果を得る。前記の復調算法は、信号チャネル見積もりとデータ復調を段階に分けて実現し、第一段階でパイロット周波数記号に対して操作し、第二段階でデータ記号に対して操作するので、パイロット周波数記号とデータ記号との関連性を十分に利用しておらず、復調性能がよくない。
【課題を解決するための手段】
【００１２】
本発明実施形態は、一種の信号受信方法と設備を提供することで、データ記号とパイロット周波数記号に基づく連合的な復調を実現し、それに断続的に発送されるもの（DTX）かどうかも判断する。
【００１３】
本発明の実施形態は、一種の信号受信方法を提供し、下記の内容を含む。
少なくとも一つの受信支線で信号を受信し、各受信支線は少なくとも二つの受信ユニットを含み、前記少なくとも二つの受信ユニットは少なくとも一つのデータ受信ユニットと少なくとも一つのパイロット周波数受信ユニットを含み、前記信号は一つの伝送コードブックの一つのコードであることと、前記受信信号によって、前記伝送コードブックの各コードの評定値を計算し、前記すべてのコードの中で評定値が最大のコード及び前記評定値が最大のコードに対応する評定値を取得し、前記最大評定値が閾値より大きい場合、復調出力は前記最大評定値に対応するコードであり、前記最大評定値が前記閾値より小さい場合、復調出力は断続的に発送されるDTXであること。
【００１４】
本発明実施形態は、一種の信号受信設備を提供して、下記構成部を含む。
少なくとも一つの受信支線で信号受信に使用され、各受信支線が少なくとも二つの受信ユニットを持ち、前記少なくとも二つの受信ユニットの中で、少なくとも一つのデータ受信ユニット及び少なくとも一つのパイロット周波数受信ユニットが含まれ、前記信号が一つの伝送コードブックの一つのコードであることを特徴とする受取モジュールと、
前記受取モジュールにより受信された信号によって、前記伝送コードブックの各コードの評定値を計算し、その最大評定値を取得する計算モジュールと、
前記最大評定値が閾値より大きい場合、前記最大評定値に対応するコードに復調出力し、前記最大評定値が前記閾値より小さい場合、断続的に発送されるDTXに復調出力することに使用される復調モジュール。
【発明の効果】
【００１５】
従来技術と比べると、本発明の実施形態は少なくとも下記の優位性を持つ。
本発明の実施形態の中で、データ記号とパイロット周波数記号に対して連合的な復調を行うことによって、復調結果をより確実にし、また、データ記号とパイロット周波数記号に対する連合的な復調に基づいて、断続的に発送されるものであるかどうかを判断できる。
【図面の簡単な説明】
【００１６】
【図１】従来技術の3GPP LTE Normal CPにおけるACK/NAKの伝送方式略図である。
【図２】従来技術の3GPP LTE extended CPにおけるACK/NAKの伝送方式略図である。
【図３】本発明の実施形態１により提供された受信方法のフロー略図である。
【図４】本発明の実施形態５により提供された受信設備の構造略図である。
【発明を実施するための形態】
【００１７】
本発明の実施形態又は従来技術の技術案をよりはっきり説明する為に、次に本発明の実施形態又は従来技術の説明で使用する必要がある添付図について簡単な説明を行う。下記の説明の中の添付図は僅か本発明の一部分の実施形態で、本分野の普通の技術者にとって、創造的労働をしなくても、これらの添付図によりその他の添付図を取得することができることは、明らかである。
【００１８】
次に、本発明の実施形態の添付図に結びついて、本発明の実施形態の技術案について明確且つ完全に説明する。明らかなことは、次に説明される実施形態は全部ではなく、本発明の一部だけである。本発明の実施形態に基づいて、本分野の普通の技術者により創造的労働をやらない前提で取得された全部のその他の実施形態は、本発明の実施形態の保護範囲に属すべきである。
【００１９】
実施形態１：
本発明の実施形態１は一種の信号受信方法を提供し、図3の示すように、下記の手順を含む。
手順301、少なくとも一つの受信支線で信号を受信し、各受信支線は少なくとも二つの受信ユニットを含み、前記少なくとも二つの受信ユニットは少なくとも一つのデータ受信ユニットと少なくとも一つのパイロット周波数受信ユニットを含み、前記信号は一つの伝送コードブックの一つのコードである。
手順302、前記受信信号によって、前記伝送コードブックの各コードの評定値を計算し、最大評定値を取得する。
手順303、前記最大評定値と閾値を比較し、前記最大評定値が閾値より大きい場合、手順304を執行し、前記最大評定値が前記閾値より小さい場合、手順305を執行する。
手順304、復調出力は前記最大評定値に対応するコードである。
手順305、復調出力は断続的に発送されるDTXであること。
【００２０】
前記伝送コードブックの各コードの評定値の計算は下記を含む。
前記各受信支線のすべての受信ユニットの受信信号及び前記コードに対して操作を行い、前記受信支線及び前記コードに対応する一つの暫定の評定値を得ることと、
すべての前記受信支線及び前記コードに対応する暫定の評定値を加算し、前記コードの評定値とすること。
【００２１】
前記各受信支線のすべての受信ユニットの受信信号及び前記コード対して操作を行い、前記受信支線及び前記コードに対応する一つの暫定の評定値を得ることは、下記を含む。
前記コードはM個の元素を含み、前記Mは前記受信支線の受信ユニットの個数であることと、
前記コードの第m（1≦m≦M）個の元素の共役及び第m個の受信ユニットの受信信号を乗算し、前記第m個の受信ユニットに対応する復調値を得ることと、
前記受信支線すべての受信ユニットに対応する前記復調値を加算し、得られる和の値を前記支線と前記コードに対応する前記暫定の評定値とすること。
【００２２】
前記各受信支線のすべての受信ユニットの受信信号及び前記コード対して操作を行い、前記受信支線及び前記コードに対応する一つの暫定の評定値を得ることは、下記も含む。
前記コードはM個の元素を含み、前記Mは前記受信支線の受信ユニットの個数であることと、
前記コードの第m（1≦m≦M）個の元素の共役及び第m個の受信ユニットの受信信号を乗算し、前記第m個の受信ユニットに対応する復調値を得ることと、
前記受信支線すべての受信ユニットに対応する前記復調値を加算し、得られる和の値の平方を前記支線と前記コードに対応する前記暫定の評定値とすること。
【００２３】
前記各受信支線は、一つの直交信号チャネルに対応し、前記直交信号チャネルは、周波数領域直交、時間領域直交、コード区分直交、スペース領域直交又はその組合せで得られる。
前記各受信ユニットは、一つのOFDM記号又はSC-FDMA記号に対応する。
【００２４】
実施形態２：
本発明の実施形態２は、一種の受信信号方法を提供し、その中で、受信信号について、ACK/NAKを例として実施形態１で提供された信号受信方法を具体的に説明する。
説明の便宜の為に、本発明の実施形態２で下記の略語を使用する。
i: transmission/reception instance index（伝送/受信単位順番）, i = 0, 1, ..., I
j: slot index（タイム・スロット順番）, j = 0, 1, ..., J
k：receive antenna index（受信アンテナー順番）, k = 0, 1, ..., K
m: channel index（信号チャネル順番）, m = 0, 1, ..., M
s(i, j, m): 在transmission instance i, slot j, channel mの伝送信号。
y(i, j, m, k): reception instance i, slot j, channel m, receive antenna kの受信信号。
s = [s(0, 0, 0), s(1, 0, 0), ..., s(I, J, M)]:  一つの伝送信号のCodeword（コード）。Codewordはパイロット周波数記号と伝送に役立つ情報のデータ記号である。
S：伝送信号のコード本で、すべての可能なsを含む。
δ: DTX detection（検知）threshold（閾値）
その中で、I, J, K, Mは、非負数の整数である。Transmission/reception instanceは伝送単位を指す。OFDMシステムであれば、一つのtransmission/reception instanceは一つのOFDM symbolであっても良い。SC-FDMAシステムであれば、一つのtransmission/reception instanceは一つのSC-FDMA symbolであっても良い。
【００２５】
ACK/NAKの復調算法は下記の通りである。
【数１】
0005548309.tif 000006
計算式に対応するcodeword soptを得る。E≦δ又はE＜δである場合、復調出力はDTXであり、さもなければ復調出力はsoptに対応する情報ビットである。
【００２６】
当該復調算法の主な思想は下記の通りである。
受信信号と一つの可能なコードを共役ドット積演算を行う。
一つのslot、一つのreceive antennaと一つのchannel の上に、前記ドット積の信号に対してcoherent combining（相有り重ね合わせ）を行う。ここで、一つのslot、一つのreceive antennaと一つのchannel の異なるtransmission/reception instanceの信号チャネル条件が類似することを仮説する。
異なるslot、異なるreceive antenna及び異なるchannelのcoherent combining後の信号に対してnon-coherent combining（相無し重ね合わせ）を行い、受信信号と前記コードとの関連値を得る。ここで、異なるslot、異なるreceive antennaと異なるchannel の信号チャネル条件が異なることを仮説する。
各コードに対して前記操作を繰り返して、相応な関連値を得る。
すべてのコードの中から関連値の最大コードsopt及びそれに対応する関連値Eを選択する。
E≦δ又はE＜δである場合、復調出力はDTXであり、さもなければ復調出力はsoptに対応する情報ビットである。
説明する必要があるものとしては、本発明の復調算法に基づく如何なる小さい修正も本発明の保護範囲にあることである。例えば、公式（1）も下記のように修正できる。
【００２７】
【数２】
0005548309.tif 000007
【００２８】
又は、
【数３】
0005548309.tif 000008
【００２９】
又は、
【数４】
0005548309.tif 000009
【００３０】
又は、
【数５】
0005548309.tif 000010
この中で、mはs(i,j,m)≠0の信号チャネル順番に対応する。
【００３１】
実施形態３：
本実施形態は、実施形態１と実施形態２に関わる伝送コードブックとコードを説明する。
3GPP LTE/LTE-AのACK/NAK伝送方式に基づいて、一つのslot内に七つのSC-FDMA symbol (I = 6)があり、一つのサブフレーム内に二つのslot (J = 1)と一つのchannel (M = 0)がある。2個のACK/NAK bitsを伝送し、(A,A)、 (A,N) 、 (N,A)又は (N,N)であっても良い。Codebook（コードブック）Sは、codeword（コード）s1、 s2、 s3と s4を含み、表5で示すとおりである。
【００３２】
【表５】
0005548309.tif 000011
【００３３】
実施形態４：
本実施形態で、実施形態１と実施形態２に関わる伝送コードブックとコードを説明する。
3GPP LTE/LTE-Aに基づくACK/NAK伝送方式、一つのslotの内に、7個のSC-FDMA symbol (I = 6)があり、一つのサブフレーム内に2個のslot (J = 1)と2個のchannel (M = 1)がある。二つのACK/NAK bitsを伝送し、 (A,A)、(A,N)、 (N,A)又は (N,N)であっても良い。Codebook（コード本）Sはcodeword（コード）s1、 s2、 s3と s4を含み、表6で示すとおりである。
【００３４】
【表６】
0005548309.tif 000012
【００３５】
本発明の実施形態により提供された方法を採用することによって、データ記号とパイロット周波数記号を連合復調し、結果を一層確実にし、また、データ記号とパイロット周波数記号に基づく連合的な復調を行うことによって、断続的に発送されるものであるかどうかを判断する。
【００３６】
実施形態５：
上述の方法実施形態と同じ技術構想に基づいて、本発明の実施形態５は、一種の信号受信設備を提供し、図4で示すように、下記の構成部を含む。
少なくとも一つの受信支線で信号受信に使用され、各受信支線が少なくとも二つの受信ユニットを持ち、前記の少なくとも二つの受信ユニットの中で、少なくとも一つのデータ受信ユニット及び少なくとも一つのパイロット周波数受信ユニットが含まれ、前記信号が一つの伝送コードブックの一つのコードであることを特徴とする受取モジュール11と、
前記受取モジュールにより受信された信号によって、前記伝送コードブックの各コードの評定値を計算し、それに最大評定値を取得する計算モジュール12と、
前記最大評定値が閾値より大きい場合、前記最大評定値に対応するコードに復調出力し、前記最大評定値が前記閾値より小さい時に、断続的に発送されるDTXに復調出力することに使用される復調モジュール13。
【００３７】
前記計算モジュール12は、
前記各受信支線のすべての受信ユニットの受信信号と前記コードに対して操作を行い、前記受信支線及び前記コードに対応する一つの暫定の評定値を得る第一処理モジュール121と、
すべての前記受信支線及び前記コードに対応する暫定の評定値を加算し、前記コードの評定値とする第二処理モジュール122を含む。
【００３８】
前記第一処理モジュール121は、又、
前記コードの第m（1≦m≦M）個の元素の共役を第m個の受信ユニットの受信信号と乗算して、前記第m個の受信ユニットに対応する復調値を得て、前記コードがM個の元素を含み、前記Mが前記受信支線の受信ユニット個数であることと、
前記受信支線のすべての受信ユニットに対応する前記復調値を加算して、得られる和の値を前記支線及び前記コードに対応する前記暫定の評定値とすること。
【００３９】
また、前記第一処理モジュール121は、
前記コードの第m（1≦m≦M）個の元素の共役を第m個の受信ユニットの受信信号と乗算して、前記第m個の受信ユニットに対応する復調値を得て、前記コードがM個の元素を含み、前記Mが前記受信支線の受信ユニット個数であることと、
前記受信支線のすべての受信ユニットに対応する前記復調値を加算して、得られる和の値の平方を前記支線及び前記コードに対応する前記暫定の評定値とすること。
【００４０】
前記各受信支線は、一つの直交信号チャネルに対応し、前記直交信号チャネルは、周波数領域直交、時間領域直交、コード区分直交、スペース領域直交又はその組合せで得られる。
前記各受信ユニットは一つのOFDM記号又はSC-FDMA記号に対応する。
本発明の実施形態の中で、データ記号とパイロット周波数記号を連合に復調し、結果を一層確実にして、それにデータ記号とパイロット周波数記号に基づいて連合的な復調を行うことによって、断続的に発送されるものであるかどうかを判断する。
前記の実施形態の説明を通じて、本技術分野の技術者は、ソフトウェアの上に必要な一般的なハードウェアのプラットフォームを加える方式で本発明を実現することができることを明確に理解できる。勿論、ハードウェアを通じても実現できるが、多くの場合に前者はより良い実施方式である。このような理解に基づいて、本発明の技術方案をソフトウェア製品という形で体現し、当該ソフトウェア製品は記憶媒体に記憶され、若干の指令を含んで、一台のコンピューター設備（携帯電話、PC、サーバー、ネットワーク設備など）に本発明の各実施形態の前記方法を実行させる。
【００４１】
以上公開されたものは本発明の幾つかの最適化された実施形態であり、指摘する必要があることとしては、本技術分野の普通の技術者は、本発明の原理から離れないことを前提に、若干の改善と修飾を行っても良い。これらの改善と修飾は全部、本発明の保護範囲に属すべきである。
【００４２】
本出願は、2010年5月25日に中国特許局に提出され、申請番号が201010189990.Xで、発明の名称が「一種の信号受信方法と設備」の中国特許申請の優先権で、内容全体は引用により本出願に導入される。
（付記１）
少なくとも一つの受信支線で信号を受信し、各受信支線は少なくとも二つの受信ユニットを含み、前記少なくとも二つの受信ユニットは少なくとも一つのデータ受信ユニットと少なくとも一つのパイロット周波数受信ユニットを含み、前記信号は一つの伝送コードブックの一つのコードであることと、
前記受信信号によって、前記伝送コードブックの各コードの評定値を計算し、その最大評定値を取得することと、
前記最大評定値が閾値より大きい場合、復調出力は前記最大評定値に対応するコードであることと、
前記最大評定値が前記閾値より小さい場合、復調出力は断続的に発送されるDTXであることと、
を含むことを特徴とする一種の信号受信方法。
（付記２）
前記伝送コードブックの各コードの評定値を計算することと、
前記各受信支線のすべての受信ユニットの受信信号と前記コードに対して操作を行い、前記受信支線及び前記コードに対応する一つの暫定の評定値を得ることと、
すべての前記受信支線と前記コードに対応する暫定の評定値を加算して、前記コードの評定値とすることと、
を含むことを特徴とする付記1記載の方法。
（付記３）
前記各受信支線のすべての受信ユニットの受信信号及び前記コードに対して操作を行い、得られる前記受信支線と前記コードに対応する一つの暫定の評定値において、
前記コードがM個の元素を含み、前記Mが前記受信支線の受信ユニット個数であることと、
前記コードの第m（1≦m≦M）個の元素の共役を第m個の受信ユニットの受信信号と乗算して、前記第m個の受信ユニットに対応する復調値を得ることと、
前記受信支線すべての受信ユニットに対応する前記復調値を加算して、得られる和の値を前記支線と前記コードに対応する前記暫定の評定値とすることと、
を含むことを特徴とする付記2記載の方法。
（付記４）
前記各受信支線のすべての受信ユニットの受信信号及び前記コードに対して操作を行い、得られる前記受信支線及び前記コードに対応する一つの暫定の評定値において、
前記コードがM個の元素を含み、前記Mが前記受信支線の受信ユニットの個数であることと、
前記コードの第m（1≦m≦M）個の元素の共役を第m個の受信ユニットの受信信号と乗算して、前記第m個の受信ユニットに対応する復調値を得ることと、
前記受信支線すべての受信ユニットに対応する前記復調値を加算して、得られる和の値の平方を前記支線と前記コードに対応する前記暫定の評定値とすることと、
を含むことを特徴とする付記2記載の方法。
（付記５）
前記各受信支線が一つの直交信号チャネルに対応し、前記直交信号チャネルが周波数領域直交、時間領域直交、コード区分直交、スペース領域直交又はその組合せで得られることを特徴とする付記1 記載の方法。
（付記６）
各受信ユニットが一つのOFDM記号又はSC-FDMA記号に対応することを特徴とする付記1記載の方法。
（付記７）
前記計算モジュールの構成部は、
少なくとも一つの受信支線で信号受信に使用され、各受信支線が少なくとも二つの受信ユニットを持ち、前記少なくとも二つの受信ユニットの中で、少なくとも一つのデータ受信ユニット及び少なくとも一つのパイロット周波数受信ユニットが含まれ、前記信号が一つの伝送コードブックの一つのコードであることを特徴とする受取モジュールと、
前記受取モジュールにより受信された信号によって、前記伝送コードブックの各コードの評定値を計算し、その最大評定値を取得する計算モジュールと、
前記最大評定値が閾値より大きい場合、前記最大評定値に対応するコードに復調出力し、前記最大評定値が前記閾値より小さい場合、断続的に発送されるDTXに復調出力することに使用される復調モジュールと、
を含むことを特徴とする一種の信号受信設備。
（付記８）
前記計算モジュールの構成部は、
前記各受信支線のすべての受信ユニットの受信信号と前記コードを操作し、前記受信支線及び前記コードに対応する一つの暫定の評定値を得る第一処理モジュールと、
すべての前記受信支線及び前記コードに対応する暫定の評定値を加算して、前記コードの評定値とする第二処理モジュールと、
を含むことを特徴とする付記7 記載の設備。
（付記９）
前記第一処理モジュールは、
前記コードの第m（1≦m≦M）個の元素の共役を第m個の受信ユニットの受信信号と乗算して、前記第m個の受信ユニットに対応する復調値を得て、前記コードがM個の元素を含み、前記Mが前記受信支線の受信ユニット個数であることと、
前記受信支線のすべての受信ユニットに対応する前記復調値を加算して、得られる和の値を前記支線及び前記コードに対応する前記暫定の評定値とすることと、
に使用されることを特徴とする付記8 記載の設備。
（付記１０）
前記第一処理モジュールは、
前記コードの第m（1≦m≦M）個の元素の共役を第m個の受信ユニットの受信信号と乗算して、前記第m個の受信ユニットに対応する復調値を得て、前記コードがM個の元素を含み、前記Mが前記受信支線の受信ユニット個数であることと、
前記受信支線のすべての受信ユニットに対応する前記復調値を加算して、得られる和の平方を前記支線及び前記コードに対応する前記暫定の評定値とすることと、
に使用されることを特徴とする付記8 記載の設備。
（付記１１）
前記各受信支線が一つの直交信号チャネルに対応し、前記直交信号チャネルが周波数領域直交、時間領域直交、コード区分直交、スペース領域直交又はこれらを組合せて得られることを特徴とする付記7 記載の設備。
（付記１２）
前記の各受信ユニットが一つのOFDM記号又はSC-FDMA記号に対応することを特徴とする付記7 記載の設備。
【図１】
0005548309.tif 000013
【図２】
0005548309.tif 000014
【図３】
0005548309.tif 000015
【図４】
0005548309.tif 000016